(57)【要約】【課題】ユーザが視聴するコンテンツに対して、視聴している画面のモードに応じて、開始時刻及び終了時刻に、幕が開閉するような表示エフェクトを付与する。【解決手段】エフェクト決定部３０は、表示設定部３８に設定されている画面モードが表示エフェクトの条件に一致するか否かを判断する。一致すると判断された場合、エフェクト制御部２３は、開始時刻又は終了時刻にコンテンツに対して表示エフェクトとして幕の開閉の映像を付与する。【選択図】図１
2008191234.tif 000002
【特許請求の範囲】
【請求項１】
表示装置に設定されている画像表示設定に関する情報を取得する工程と、
取得した画像表示設定に応じて、コンテンツの開始及び／又は終了時において、前記コンテンツに表示エフェクトを付与する工程と
を有することを特徴とする表示方法
【請求項２】
表示装置に入力されるコンテンツのデータの入力経路を特定する工程と、
特定された入力経路に応じて、前記コンテンツの開始及び／又は終了時刻に前記表示エフェクトを付与するか否かを判定する工程と
を有することを特徴とする請求項１に記載の表示方法。
【請求項３】
表示装置の電源のオンオフ信号が入力されたときに、その信号に応じた表示装置の動作にあわせて前記表示エフェクトを付与することを特徴とする請求項１または２に記載の表示方法。
【請求項４】
所定の入力経路から入力されたコンテンツが途中で終了する際に、終了時の画像を保持する工程と、
前記所定の入力経路から、コンテンツのデータの入力が開始されたことを判定する工程と、
前記保持されている画像を参照し、入力が開始されたコンテンツのデータが、前記途中で終了したコンテンツか否かを判定する工程と
を備えることを特徴とする請求項２または３に記載の表示方法。
【請求項５】
表示すべきコンテンツの画像表示設定に関する情報を取得する表示設定取得部と、
取得した画像表示設定に応じて、表示エフェクトを付与するか否かを判定し、付与すべきであると判定した場合に、前記表示すべきコンテンツに対して、開始及び／又は終了時刻に表示エフェクトを付与するエフェクト付与部と、
前記表示エフェクトに使用するデータを格納する格納部と
を備えることを特徴とする表示装置。
【発明の詳細な説明】
【技術分野】
【０００１】
本発明は、表示方法及び表示装置に係り、特にコンテンツに所定のタイミングで表示エフェクトを付与する表示方法及び表示装置に関する。
【背景技術】
【０００２】
近年、液晶テレビやＰＤＰ（プラズマディスプレイパネル）テレビ等の薄型受像表示装置（以下単に「薄型テレビ」という）の大型化が進み、サイズが５０（インチ）型のテレビも、一般消費者が購入可能な価格になっている。そのような大型のテレビでは、臨場感溢れる環境で、様々なコンテンツを楽しむことができる。
【０００３】
例えば、家庭にいながら、まるで映画館にいるかのようにコンテンツを楽しむことができたり、競技場にいるかのようにスポーツ放送を楽しむことができる。
【０００４】
ところで、上述の薄型テレビ市場における製造メーカー各社の競争は熾烈を極めており、各社とも様々な技術を投入することで映像品位のさらなる向上を実現させ、他社との差別化を図っている。そのような状況において、ユーザの選択基準とし、表示品位などの基本性能はもちろんであるが、それ以外の付加機能についても重要になりつつある。
【０００５】
また、そのような付加機能として想定される技術の一つに、エフェクトの付与がある（特許文献１参照。）。この特許文献１に開示の技術では、ビデオカメラで撮影した映像に対して種々のフェードパターンを付与することができる。
【特許文献１】特公平８−８６６０号公報
【発明の開示】
【発明が解決しようとする課題】
【０００６】
上記特許文献１に開示の技術では、ユーザが所望のフェードパターンを選択して、自ら撮影した映像にエフェクトを付与するといった編集を行う。しかし、映像編集を行う際には、非常に効果的な技術であるが、テレビ放送やＤＶＤ（Digital Versatile Disc）ビデオなどのコンテンツを単に視聴する際には、利用できないという課題がある。つまり、映像編集の際には、ユーザ自らがエフェクト付与の対象を選択できる。しかし、テレビ放送などでは、様々な種類のコンテンツがあるため、テレビ等の表示装置側でエフェクトを付与するか否かを判断することが必要とされる。
【０００７】
本発明はこのような状況に鑑みなされたものであって、その目的は、コンテンツに対し、表示エフェクトの付与が求められているか否かを推定し、付与が求められていると推定されるコンテンツに対して表示エフェクトを付与する技術を提供することにある。特に、表示エフェクトの付与が求められているか否かの推定を、コンテンツを参照することなく、表示装置側で判断する技術を提供することにある。
【課題を解決するための手段】
【０００８】
本発明に係る方法は、表示方法に関する。この表示方法は、表示装置に設定されている画像表示設定に関する情報を取得する工程と、取得した画像表示設定に応じて、コンテンツの開始及び／又は終了時において、前記コンテンツに表示エフェクトを付与する工程と
を有する。
また、表示装置に入力されるコンテンツのデータの入力経路を特定する工程と、特定された入力経路に応じて、前記コンテンツの開始及び／又は終了時に前記表示エフェクトを付与するか否かを判定する工程とを有してもよい。
また、表示装置の電源のオンオフ信号が入力されたときに、その信号に応じた表示装置の動作にあわせて前記表示エフェクトを付与してもよい。
また、所定の入力経路から入力されたコンテンツが途中で終了する際に、終了時の画像を保持する工程と、前記所定の入力経路からコンテンツのデータの入力が開始されたことを判定する工程と、前記保持されている画像を参照し、入力が開始されたコンテンツのデータが、前記途中で終了したコンテンツか否かを判定する工程とを備えてもよい。
本発明に係る装置は、表示装置に関する。この表示装置は、表示すべきコンテンツの画像表示設定に関する情報を取得する表示設定取得部と、取得した画像表示設定に応じて、表示エフェクトを付与するか否かを判定し、付与すべきであると判定した場合に、前記表示すべきコンテンツに対して開始及び／又は終了時刻に表示エフェクトを付与するエフェクト付与部と、前記表示エフェクトに使用するデータを格納する格納部とを備える。
【発明の効果】
【０００９】
本発明によれば、コンテンツが表示エフェクトの付与対象であるか否かを推定し、付与対象であると推定されるコンテンツに対して表示エフェクトを付与することができる。
【発明を実施するための最良の形態】
【００１０】
次に、本発明を実施するための最良の形態（以下、単に「実施形態」という。）を、図面を参照して具体的に説明する。
【００１１】
本実施形態では、コンテンツの表示の開始又は終了時刻において、コンテンツに対して表示エフェクトを付与する。表示エフェクトをコンテンツに付与する際に、表示装置であるテレビの画像表示設定や、映像又は音声の入力経路を参照し、表示するコンテンツに表示エフェクトを付与するか否かを決定する。ここで「コンテンツに表示エフェクトを付与する」とは、コンテンツに対して所定の映像を合成したり、コンテンツの映像を変形したりすることをいう。
【００１２】
図１は、本実施形態に係るテレビ１０の構成を示す機能ブロック図である。なお、本実施形態はテレビに限らず、ビデオ装置などの映像を表示する装置に適用可能である。
【００１３】
テレビ１０は、チューナ１１と、主制御部１５と、出力制御部２０と、外部入力部１６と、操作取得部１７と、表示部１８と、スピーカ１９とを備える。テレビ１０は、さらに、エフェクト決定部３０を備える。
【００１４】
主制御部１５は、テレビ１０の各構成要素の動作を制御する。なお、主制御部１５や、出力制御部２０や、エフェクト決定部３０は、例えば、ＣＰＵ（中央演算装置）等のＬＳＩ（大規模集積回路）やメモリ、及びそのメモリに記憶されてそれぞれの機能を実行するプログラムにより実現される。主制御部１５は、画面表示設定に関する情報を記録する表示設定部３８と、音声設定に関する情報を記録する音声設定部３９と、電源のオンオフ管理を行う電源管理部４０とを備える。
【００１５】
ここで画面表示設定として、画面サイズや輝度設定、色調設定などがある。画面サイズとしては、横縦比が４：３のノーマル画面、縦横比が１６：９のワイド画面がある。さらに、画面表示設定として、輝度設定や色調設定がコンテンツのジャンルに応じて調整され、テレビ１０が予め備えた複数のモードがある。例えば、ジャンルが映画であるコンテンツを想定して輝度設定や色調設定を調整した「シネマモード」や、ジャンルがスポーツであるコンテンツを想定して輝度設定や色調設定を調整した「ダイナミックモード」がある。また、上記モードとして、ユーザが設定可能な「ユーザモード」がある。なお、テレビ１０に共通に設定されている輝度設定及び色調設定の組合せを「標準モード」と呼ぶ。音声設定として、「ステレオ」、「モノラル」、「サラウンド」などがある。例えば、上記のシネマモードが選択されている場合、「サラウンド」が選択される設定とすることができる。上述のように、設定された画面表示設定の情報は、表示設定部３８に記憶され、同様に設定された音声設定の情報は音声設定部３９に記憶される。なお、以下の説明では、エフェクトの付与対象であるか否かの判断に、上述の４種類のモードを利用するが、これに限る趣旨ではなく、画面サイズを用いてもよい。画面サイズを用いる場合とは、例えばリモコン上の「画面サイズ」ボタンで「シネマ」が選択された場合や、オートワイド機能において、映像判別の結果や、付加情報として送られてくる画面サイズ制御信号により、コンテンツが映画であることを検出した場合に相当する。さらに、音声入力部３６に入力される信号が、５．１ＣＨの信号であるときに、表示エフェクトの付与対象としてもよい。
【００１６】
チューナ１１は、アンテナ２５に接続されており、地上デジタル放送を受信及び復号する。チューナ１１は、さらに受信部１２と復号処理部１３とを備える。受信部１２は、所望のチャンネルを選局し、復調処理や誤り訂正処理を行い、放送局から送出されたＴＳ（トランスポート・ストリーム）を抽出する。また、復号処理部１３は、多重化されているＴＳを目的別に分離し、映像データ及び音声データを復号するとともに、それらデータ以外の例えばデータ放送のデータを主制御部１５へ送る。また、復号した映像データは、出力制御部２０へ送られる。
【００１７】
外部入力部１６は、例えばビデオ装置やＤＶＤプレーヤなどの外部映像装置４２から所望のコンテンツを取得し、取得したコンテンツを出力制御部２０へ送ったり、外部映像装置４２を制御する。そのために、外部入力部１６は、映像入力部３５と、音声入力部３６と、外部機器制御部３７とを備える。
【００１８】
映像入力部３５は、外部映像装置４２から映像信号を取得し、出力制御部２０へ出力する。音声入力部３６は、外部映像装置４２から音声信号を取得し、出力制御部２０へ出力する。なお、音声入力部３６は、一般には、圧縮や暗号化などが施されていな状態の信号を外部映像装置４２から取得するが、圧縮や暗号化された信号を取得し、その信号を復号して出力制御部２０に出力してもよい。このとき、復号処理部１３の機能を利用して、音声データが復号されてもよい。外部機器制御部３７は、外部映像装置４２を制御する。この制御のために、外部映像装置４２とテレビ１０とが、例えば、ＨＤＭＩ（High Definition Multimedia Interface）規格によるインタフェイスを備えている場合、特別なインタフェイスを設けることなく、外部機器制御部３７による外部映像装置４２の制御が実現できる。
【００１９】
ここで、外部入力部１６は、第１から第３の外部入力端子を備える。それに伴い、映像入力部３５は、第１から第３の外部入力端子に対応した、第１から第３の映像入力端子を備える。同様に、音声入力部３６は、第１から第３の外部入力端子に対応した、第１から第３の音声入力端子を備える。したがって、例えば、リモコン４３の操作により、第２の外部入力端子が選択された場合、映像入力部３５においては、第２の映像入力端子が選択され、音声入力部３６においては、第２の音声入力端子が選択され、選択された映像入力端子及び音声入力端子の信号が出力制御部２０に出力される。なお、選択された映像入力端子及び音声入力端子は、外部機器制御部３７に記録される。
【００２０】
操作取得部１７は、テレビ１０に備わるスイッチやボタンなどの所定のインタフェイス（図示せず）によりユーザの直接の操作を受け付けたり、リモコン４３による間接の操作を受け付ける。ユーザより取得した指示は、主制御部１５に送られる。
【００２１】
出力制御部２０は、セレクタ２１と、映像構築部２２と、エフェクト制御部２３とを備える。セレクタ２１は、チューナ１１または外部入力部１６を選択し、その選択に応じて映像信号を表示部１８に出力し、音声信号をスピーカ１９に出力する。なお、セレクタ２１が選択している入力経路を「ソース」ともいい、例えば、コンテンツが第１の外部入力端子からテレビ１０に入力され、出力制御部２０に出力された場合、ソースは第１の外部入力端子である。
【００２２】
映像構築部２２は、例えば必要に応じてデータ放送の内容を反映させた画面を合成したり、選択しているチャンネルの番号や時刻を付与するなどして表示部１８に最終的に表示すべき映像を構築する。
【００２３】
また、エフェクト制御部２３は、以下に述べるエフェクト決定部３０で決定された幕の映像を表示エフェクトとしてコンテンツに付与する。コンテンツの表示が開始する場合には、図２に示すように、幕が徐々に開くように表示することで、コンテンツが表示される面積を時系列に拡大させる。また、コンテンツの表示が終了する場合には、図３に示すように、幕が徐々に閉じるように表示することで、コンテンツが表示される面積を時系列に縮小させる。また、コンテンツの表示の開始及び終了タイミング以外は、図２（ｃ）に示すように幕がコンテンツの両サイドに表示するが、幕を表示しなくてもよい。つまり、幕の開く動作が終了すると、幕は消えることになる。また、幕が閉じる際には、幕が両サイドから出てくるように表示される。なお、表示エフェクト付与は、エフェクト付与モードが選択されている場合に選択的に行われ、エフェクト付与モードが選択されていないときには、行われない。なお、エフェクト付与モード選択は、リモコン４３に備わる所定のボタンを押下することで、エフェクト付与モード選択情報、例えばフラグとして、後述のコンテンツ判定部３１に記憶される。
【００２４】
エフェクト決定部３０は、コンテンツ判定部３１と、タイミング特定部３２と、設定取得部３４と、エフェクト格納部３３と、履歴保持部５１とを備える。
【００２５】
コンテンツ判定部３１は、コンテンツが表示エフェクトの付与対象であるか否かを判断し、付与対象であると判断した場合、そのコンテンツに対して開始タイミング及び終了タイミングで表示エフェクトを付与する旨を決定し、その旨をエフェクト制御部２３に通知する。なお、ここでは表示エフェクトの付与対象であるか否かの判断は、そのコンテンツの表示が、上述の「シネマモード」で視聴されるか否かによってなされる。なお、所定のソースのコンテンツのみを表示エフェクトの付与対象としてもよい。
【００２６】
タイミング特定部３２は、コンテンツに対して表示エフェクトを付与するタイミングを決定する。なお、開始時刻や終了時刻の特定のために、タイミング特定部３２は、地上デジタル放送のコンテンツであれば、ＴＳに含まれる番組配列情報ＳＩや電子番組表ＥＰＧの情報を、主制御部１５を介してチューナ１１から取得する。また、外部映像装置４２のコンテンツを表示する場合、タイミング特定部３２は、外部映像装置４２から、コンテンツの時間やチャプターなどの進行度合い、さらには、外部映像装置４２に対するユーザの指示などの情報を取得する。近年、例えば、テレビ１０とビデオなどの外部映像装置４２とを連動させる機能が多くの製品に搭載されるようになっており、その機能を利用することで、上述の外部映像装置４２からの情報取得は実現できる。さらに、コンテンツがインターネット、放送等のネットワーク上に複製されるような環境においては、これらの情報をコンテンツの付加情報としてのメタデータから取得してもよい。
【００２７】
また、タイミング特定部３２は、テレビ１０の電源がオン又はオフの動作を行う際に、電源管理部４０からオンオフを実行している旨の通知を受け、コンテンツに対して表示エフェクトを付与することを決定する。なお、履歴保持部５１には、外部入力部１６のコンテンツが、途中で視聴が中断された場合、中断した部分の画像が数フレーム分、記録される。また、履歴保持部５１は、外部映像装置４２の終了場面のチャプター番号を保持してもよい。タイミング特定部３２は、セレクタ２１が外部入力部１６を選択した場合に、履歴保持部５１に記録されている画像やチャプター番号を参照し、その画像と同一部分からコンテンツが開始されたか否かを判断する。なお、画像を参照して判断する場合、一般的な、画像のパターンマッチング手法を用いることで、同一部分から開始されたかを判断することができる。
【００２８】
設定取得部３４は、表示設定部３８に記憶されている画面表示設定に関する情報や、音声設定部３９に記憶されている音声設定に関する情報を取得し、取得した設定の情報を、コンテンツ判定部３１に通知する。
【００２９】
なお、ユーザは、コンテンツを視聴する際に、画面表示設定として複数のモードから所望のモードを選択可能となっている。具体的には、ユーザは、図４に示すモード設定画面において、上述の画面表示設定や音声設定を、ソースごとに設定できる。ここでは、画面表示設定として、チューナ１１には「標準モード」が設定されている。また、第1の外部入力端子には、例えば、外部映像装置４２としてＤＶＤプレーヤがＨＤＭＩ規格のインタフェイスで接続されていると、この第1の外部入力端子から入力されるコンテンツは映画である可能性が高い。そこでソースに接続される外部映像装置４２から最も多く出力されると想定されるコンテンツのジャンル（種類）に適したモードをユーザは設定する。そこでここでは、第１の外部入力端子には「シネマモード」が設定されている。また、第２の外部入力端子には「ダイナミックモード」、第３の外部入力端子にはユーザモードが設定されている。音声設定として、チューナ１１にはステレオ、第１の外部入力端子には「サラウンド」、第２の外部入力端子には「ステレオ」、第３の外部入力端子には「サラウンド」が設定されている。この設定のために、ユーザは、リモコン４３を操作し、モード設定画面を表示させ、ソース毎に所望のモードを選択する。選択されたモードは、上述のように、表示画面設定又は音声設定情報として表示設定部３８又は音声設定部３９に記憶される。また、ユーザは、コンテンツを視聴中に、リモコン４３に備わる所定のボタンを押下することで、モードを変更可能であり、一旦電源がオフになると、設定されているモードに戻る。また、衛星放送では、映画コンテンツのみを放送するチャンネルがある。その様なチャンネルに対して、リモコン４３の所定のボタンに選局可能に設定し、そのボタンにより選局がなされている場合、コンテンツに対する表示エフェクトを付与するようにしてもよい。
【００３０】
また、ユーザは、図５に示すように、コンテンツに表示エフェクトを付与するか否かを、画面表示モードごとに設定する。ここでは、「シネマモード」と「ユーザモード」の場合に、表示エフェクトとして幕がコンテンツに付与される。この設定のために、ユーザは、リモコン４３を操作し、エフェクト設定画面を表示させ、モード毎に表示エフェクトを付与するか否かを選択する。また、モードを参照するのではなく、ソースのインタフェイスがどの種類のものであるかによって、表示エフェクトを付与するか否かを判定してもよい。例えば、外部入力端子が複数種類のインタフェイスによる接続が可能であって、ＨＤＭＩ規格のインタフェイスによりデジタル接続がなされている場合に、その外部入力端子から入力されるコンテンツのジャンルが映画であると判断し、幕を開閉する表示エフェクトがコンテンツに付与されてもよい。このような構成であれば、ユーザは表示エフェクトの対象となるソースを、外部入力端子毎にわざわざ設定する必要がない。
【００３１】
以上の構成による、表示エフェクトの付与手順について説明する。
まず、テレビ１０の電源がオンされた場合の処理について図６のフローチャートを参照して説明する。なお、このフローチャートによる処理は、電源がオンされる毎に、一度だけ起動する。ユーザが、リモコン４３やテレビ１０に備わる電源ボタン（図示せず）により、電源をオンする指示をすると、操作取得部１７は、その指示を受け、主制御部１５へ通知する。すると、電源管理部４０がテレビ１０の各構成要素を起動させ、テレビ１０の電源オンの初期化処理を開始する（Ｓ１０）。
【００３２】
つづいて、コンテンツ判定部３１は、エフェクト付与モードが選択されているか否かを、コンテンツ判定部の記憶データ（フラグ）を参照して、判断する（Ｓ１２）。エフェクト付与モードが選択されている場合（Ｓ１２のＹ）、さらに、コンテンツ判定部３１は、画面表示設定がエフェクト付与の条件に一致するか否か、ここでは、「シネマモード」もしくは「ユーザモード」が選択されているか否かを判断する（Ｓ１４）。例えば、チューナ１１のコンテンツが選択されている場合、画面表示モードが「標準モード」であるので、エフェクト付与の対象ではないと判断される。外部入力部１６の第１の外部入力端子のコンテンツが選択されている場合、画面表示モードが「シネマモード」であるので、表示エフェクトの付与対象であると判断される。また、所定のソースのコンテンツのみを表示エフェクトの付与対象とする場合、コンテンツ判定部３１はいずれのソースのコンテンツであるかを、セレクタ２１を参照して判断する。
【００３３】
「シネマモード」もしくは「ユーザモード」が選択されている場合（Ｓ１４のＹ）、エフェクト制御部２３は、セレクタ２１から入力されるコンテンツに対して、エフェクト格納部３３から選択した表示エフェクトを付与し、幕が徐々に開いていくように表示する（Ｓ１６）。上述のごとく、図２（ａ）のように、幕が閉じた状態で表示され、つづいて、図２（ｂ）に示すように、幕が徐々に開いていく。このとき、コンテンツがスタートした旨を知らせるために図２（ｂ）のごとく「スタート」という文字が付与されている。なお、チューナ１１の地上デジタル放送のコンテンツである場合、コンテンツが実際に表示されるまでに、復号処理等によりタイムラグが生じる。その場合、実際にコンテンツが表示されるまで、表示エフェクトとして、エフェクト制御部２３は、図２（ａ）の幕が閉じた状態を表示し、コンテンツの表示開始とともに幕を徐々に開く表示エフェクトをコンテンツに対して付与してもよい。
【００３４】
Ｓ１２の処理においてエフェクト付与モードが選択されていないと判断された場合（Ｓ１２のＮ）や、Ｓ１４の処理において「シネマモード」もしくは「ユーザモード」が選択されていないと判断された場合（Ｓ１４のＮ）、コンテンツに表示エフェクトを付与することなく、このフローによる処理は終了する。
【００３５】
次に、電源がオンの状態のときに実行される表示エフェクト付与の処理について図７を参照して説明する。この処理は、上述したテレビ１０がオンされた際の処理が一度行われていることを前提とする。なお、ここでは、チャンネルの変更や、入力ソースの変更、つまり、選択されている外部入力部１６に入力されている外部映像装置４２の変更があった場合、割り込み処理が発生し、最初の処理へ戻る。
【００３６】
まず、コンテンツ判定部３１は、エフェクト付与モードが選択されているか否かを判断する（Ｓ３０）。エフェクト付与モードが選択されていると判断された場合（Ｓ３０のＹ）、コンテンツ判定部３１は、画面表示設定が「シネマモード」もしくは「ユーザモード」か否かを判断する（Ｓ３２）。「シネマモード」もしくは「ユーザモード」が選択されていると判断された場合（Ｓ３２のＹ）、コンテンツ判定部３１は、新たなコンテンツが開始されたか否かを判断する（Ｓ３４）。新たなコンテンツであるか否かの判断は、上述のように、タイミング特定部３２が、ＥＰＧを参照し開始時刻を特定したり、テレビ１０のチャンネル変更や外部入力への切替えなどを監視し、その監視の情報を取得することで実行される。
【００３７】
新たなコンテンツが開始されたと判断された場合（Ｓ３４のＹ）、タイミング特定部３２は、コンテンツの冒頭から開始されたか否かを判断する（Ｓ３６）。ここで、Ｓ３４の処理において、ＥＰＧを参照したことでコンテンツの開始時刻と判断されている場合は（Ｓ３４のＮ）、実質的に冒頭から開始されていると判断されていることになるので、Ｓ４２の処理に進む。また、チャンネルの変更がなされている場合は、ＥＰＧを参照する。外部入力部１６への切替えが行われている場合は、外部映像装置４２からコンテンツの進行度合いを取得し判断する。チャンネルの変更や、外部入力部１６への切替えがなされて割り込みが発生している場合は、その旨を示すフラグを設定し、タイミング特定部３２はフラグを参照して、開始時刻を特定するための情報、より具体的にはＥＰＧ等を選択する。
【００３８】
冒頭からコンテンツが開始したと判断された場合（Ｓ３６のＹ）、まず、エフェクト制御部２３は、図２（ａ）に示すように、幕を閉じた状態を所定時間表示する（Ｓ３８）。このとき、コンテンツは全て隠れた状態になるが、これにかぎらず、例えば、幕を半開状態にしたり、コンテンツが透けて見える状態にするなどしてもよい。また、この幕を閉じた状態を表示する所定時間は、実質的に０秒であってもよいし、ユーザが設定可能としてもよい。さらにまた例えば、ＥＰＧを参照し開始時刻を特定している場合や視聴予約を、している場合には、例えば実際の開始時刻２秒前など、所定時間前に幕を閉じた状態が表示されてもよい。
【００３９】
幕が所定時間表示されると、エフェクト制御部２３は、図２（ｂ）に示すように、幕が徐々に開くような表示エフェクトをコンテンツに付与する（Ｓ４０）。この幕が開いていく時間は、ユーザにより設定可能としてもよい。幕が開く動作が終了すると、図２（ｃ）に示すように、コンテンツの横に幕が開いた状態で表示される（Ｓ４２）。なお、幕が表示画面から消えるような表示エフェクトである場合、Ｓ４２の処理はスキップされる。
【００４０】
Ｓ３６の処理の説明に戻り、コンテンツの冒頭から開始でないと判断された場合（Ｓ３６のＮ）、コンテンツ判定部３１は、コンテンツの視聴が途中で終了された場面から再開するか否かを判断する（Ｓ４４）。このＳ４４の処理は、外部入力部１６が選択されているときに行われ、上述の通り、外部入力部１６の画像と履歴保持部５１に保持されている画像やチャプター番号を比較することで行われる。また、外部映像装置４２とテレビ１０とが連動する場合、外部映像装置４２から前回中断した場面から再開する旨の通知を受けて判断してもよい。
【００４１】
途中から再開と判断された場合（Ｓ４４のＹ）、エフェクト制御部２３は、図２（ｂ）の代わりに、幕が開くとともに「再開」の文字が表示された再開用の表示エフェクトを付与する（Ｓ４６）。Ｓ４６の処理が終了した場合、また再開でないと判断された場合（Ｓ４４のＮ）、エフェクト制御部２３は、コンテンツの両サイドに幕を開いた状態で表示する（Ｓ４２）。
【００４２】
幕を開いた状態は、コンテンツが終了するまで表示される（Ｓ４８のＮ）。コンテンツが終了したと判断された場合（Ｓ４８のＹ）、図３（ｂ）に示すように、幕を徐々に閉じる表示エフェクトをコンテンツに付与する（Ｓ５０）。幕が閉じる動作が終了すると、図３（ｃ）に示すように、エフェクト制御部２３は、所定時間閉じた状態を表示し、このフローによる処理を終了し、表示エフェクトは初期化される。
【００４３】
次に、テレビ１０の電源をオフにする操作がなされた際の処理について、図８のフローチャートを参照して説明する。
【００４４】
ユーザがリモコン４３によって電源オフの操作がなされると、操作取得部１７はその旨の信号を主制御部１５に通知する。すると、上述の図７に示した処理（Ｓ３０からＳ５０）において、割り込み処理が発生し、本フローによる処理が起動する。
【００４５】
主制御部１５の電源管理部４０は、電源をオフにする信号を受けたことをコンテンツ判定部３１に通知する（Ｓ７０）。すると、コンテンツ判定部３１は、エフェクト付与モードであるか否かを判断する（Ｓ７２）。エフェクト付与モードであると判断された場合（Ｓ７２のＹ）、さらに「シネマモード」もしくは「ユーザモード」であるか否かを判断する（Ｓ７４）。「シネマモード」もしくは「ユーザモード」であると判断された場合、エフェクト制御部２３は、幕を閉じる表示エフェクトをコンテンツに付与する（Ｓ７６）。幕を閉じる表示エフェクトが終了すると、電源管理部４０によってテレビ１０をオフにする処理が実行される。また、エフェクト付与モードでないと判断された場合（Ｓ７２のＮ）や、「シネマモード」もしくは「ユーザモード」でないと判断された場合（Ｓ７４のＮ）、電源管理部４０によってテレビ１０をオフにする処理が実行される（Ｓ７６）。
【００４６】
以上、本実施形態によれば、コンテンツが開始する又は終了する時刻に、表示エフェクトを付与することができる。また、液晶テレビなどの薄型表示装置では、サイズが５０（インチ）型を越えるものが、一般消費者に購入されるようになっている。そこで、映画などのジャンルのコンテンツを視聴する際に、特に、上述のような大型の画面にコンテンツの開始や終了のタイミングで幕を表示する場合、家庭にいながら映画館にいるような臨場感を視聴者に提供できる。また、コンテンツに開始時刻や終了時刻に関する情報が含まれていない場合であっても、適当なタイミングで、幕を開いたり閉じたりする表示エフェクトをコンテンツに付与することが可能となる。
【００４７】
以上、本発明を実施形態をもとに説明した。この実施形態は例示であり、それらの各構成要素や各処理プロセスの組合せにいろいろな変形例が可能なこと、またそうした変形例も本発明の範囲にあることは当業者に理解されるところである。
【産業上の利用可能性】
【００４８】
本発明は、テレビなどの表示装置に広く利用できる。
【図面の簡単な説明】
【００４９】
【図１】本発明の実施形態に係るテレビの構成を示す機能ブロック図である。
【図２】コンテンツが開始する際に付与される表示エフェクトの一例を示す図である。
【図３】コンテンツが終了する際に付与される表示エフェクトの一例を示す図である。
【図４】画面表示設定や音声設定を設定する画面を示す図である。
【図５】表示エフェクトを付与する条件を、画面表示モードごとに設定する画面の示す図である。
【図６】電源がオンされた際に、表示エフェクトを付与する処理を示すフローチャートである。
【図７】電源がオンの状態において、表示エフェクトを付与する処理を示すフローチャートである。
【図８】電源がオフされた際に、表示エフェクトを付与する処理を示すフローチャートである。
【符号の説明】
【００５０】
１０・・・テレビ（表示装置）、  １１・・・チューナ、  １２・・・受信部、  １３・・・復号処理部、  １５・・・主制御部、  １６・・・外部入力部、  １７・・・操作取得部、  １８・・・表示部、  １９・・・スピーカ、  ２０・・・出力制御部、  ２１・・・セレクタ、  ２２・・・映像構築部、  ２３・・・エフェクト制御部、  ３０・・・エフェクト決定部、  ３１・・・コンテンツ判定部、  ３２・・・タイミング特定部、３３・・・エフェクト格納部、  ３４・・・設定取得部、  ３５・・・映像入力部、  ３６・・・音声入力部、  ３７・・・外部機器制御部、  ３８・・・表示設定部、  ３９・・・音声設定部、  ４０・・・電源管理部、  ４２・・・外部映像装置、  ４３・・・リモコン、  ５１・・・履歴保持部
【図１】
2008191234.tif 000003
【図２】
2008191234.tif 000004
【図３】
2008191234.tif 000005
【図４】
2008191234.tif 000006
【図５】
2008191234.tif 000007
【図６】
2008191234.tif 000008
【図７】
2008191234.tif 000009
【図８】
2008191234.tif 000010